(57)【要約】【課題】簡易な構成により、計器装置における文字板の照明ムラを軽減する。【解決手段】所定意匠６３が形成された文字板６と、文字板６の背面側に配置された基板上に分散的に実装されて、文字板を背面側から照明するための光を出射する複数の光源５ａ〜５ｃと、複数の光源５ａ〜５ｃからの出射光を文字板６に向けて反射させる反射面３１、３２と、を有する計器装置において、複数の光源５ａ〜５ｃから出射され、反射又は合成されて文字板６の背面の異なる部位に入射する光の輝度を均等化するため、底面３１及び／又は傾斜面３２にシボ面８１ａ〜８１ｃ等の輝度均等化手段が形成されている。【選択図】図１
2005077209.tif 000002
【特許請求の範囲】
【請求項１】
所定意匠が形成された文字板と、
前記文字板の背面側に配置された基板上に分散的に実装されて、前記文字板を背面側から照明するための光を出射する複数の光源と、
前記複数の光源からの出射光を前記文字板に向けて反射させる反射面と、を有する計器装置において、
前記複数の光源から出射され、反射又は合成されて前記文字板の背面の異なる部位に入射する光の輝度を均等化するため、前記反射面に形成された輝度均等化手段、
を有することを特徴とする計器装置。
【請求項２】
請求項１記載の計器装置において、
前記輝度均等化手段は、
前記文字板の背面において、その周囲よりも輝度が高くなる高輝度部位を発生させる原因となる前記反射面上の部位、に形成された光拡散面又は光吸収面である、
ことを特徴とする計器装置。
【請求項３】
請求項２記載の計器装置において、
前記輝度均等化手段は、
前記高輝度部位を発生させる原因となる前記反射面上の部位に、最も近接する光源から離れるにしたがって徐々に光拡散率が低下するように形成されたシボ面である、
ことを特徴とする計器装置。
【請求項４】
請求項１記載の計器装置において、
前記輝度均等化手段は、
前記文字板の背面において、その周囲よりも輝度が高くなる高輝度部位を発生させる原因となる前記反射面上の部位、に形成された孔である、
ことを特徴とする計器装置。
【請求項５】
請求項４記載の計器装置において、
前記孔は、
前記文字板に近づくように隆起して形成された凸部の頂上部に穿設されている、
ことを特徴とする計器装置。
【請求項６】
請求項４記載の計器装置において、
前記輝度均等化手段は、
前記文字板の背面において、前記高輝度部位を発生させる原因となる前記反射面上の部位に、光源から離れるにしたがって徐々に開口面積が減少するように列設された複数の孔である、
ことを特徴とする計器装置。
【請求項７】
請求項１記載の計器装置において、
前記輝度均等化手段は、
前記文字板の背面において、その周囲よりも輝度が低くなる低輝度部位を発生させる原因となる前記反射面上の部位、に形成された光沢面である、
ことを特徴とする計器装置。
【請求項８】
請求項１記載の計器装置において、
前記輝度均等化手段は、
前記文字板の背面において、その周囲よりも輝度が低くなる低輝度部位を発生させる原因となる前記反射面上の部位に、前記文字板に近づくように隆起して形成された凸部である、
ことを特徴とする計器装置。
【請求項９】
請求項１〜８のいずれか一項に記載の計器装置において、
前記反射面は、
前記複数の光源が配置される馬蹄型の底面と、
この底面の縁部から所定角度傾斜し前記文字板に近づくにしたがって徐々に広がるように立設された傾斜面と、から構成される、
ことを特徴とする計器装置。
【請求項１０】
請求項１〜８のいずれか一項に記載の計器装置において、
前記反射面は、
前記複数の光源を周回し前記文字板に近づくにしたがって徐々に広がるように形成されたお椀型の傾斜面、から構成される、
ことを特徴とする計器装置。
【発明の詳細な説明】
【技術分野】
【０００１】
本発明は、導光板や拡散板等の導光部材を用いることなく、文字板の背面側に形成された反射面を利用して、光源からの出射光を文字板の背面に導いて文字板を照明するタイプの計器装置に関する。
【背景技術】
【０００２】
近年、車両用計器等においては、小型化及び軽量化が進むにともない、導光板や拡散板等の導光部材を用いることなく、文字板の背面側に形成された反射面を利用して、光源からの出射光を文字板の背面に導いて文字板を照明するタイプの計器装置が提案されている。このような計器装置の一例として、下記特許文献１及び特許文献２に示されるものがある。
【０００３】
このような計器装置には、周知のように、速度に対応する数字やメモリ等を示す所定意匠が形成された文字板と、この文字板の背面側に離間して配置された基板上に分散的に実装されて、文字板を背面側から照明するための光を出射する複数の光源と、これら複数の光源からの出射光を文字板に向けて反射させる反射面と、を少なくとも有している。
【０００４】
このような構成において、所定の点灯信号に応答して複数の光源が点灯すると、それぞれの光源からの出射光は、文字板の背面に直接入射したり、反射面で反射したり、或いは合成されたりして、最終的に文字板の背面に入射する。これにより、文字板上に形成された意匠が照明される。
【特許文献１】特開平７−１２５９６号公報
【特許文献２】特開平１０−２８１８２１号公報
【発明の開示】
【発明が解決しようとする課題】
【０００５】
ところが、現実的には、文字板に形成される意匠は、一カ所に集中することなく、例えば、スピードを示す文字やメモリ等のように、文字板全体にわたって形成されている。このため、複数の同等の性能を有する光源が分散的に配置されているのだが、このように分散配置しても、それぞれの光源から文字板の背面に至るまでの距離、或いは、反射面を経由して文字板の背面に至るまでの距離は必然的に異なったものとなる。
【０００６】
そうすると、光源の直上部に対応する文字板上の部位や、場合によっては複数の光源からの光がオーバーラップして入射する文字板上の部位等における輝度は、その周囲よりも高くなる。一方、複数の光源の中間部に対応する文字板上の部位や、光源から離れた文字板上の部位等における輝度は、その周囲よりも低くなる。この結果、文字板照明にムラが発生することになる。このような文字板照明のムラを軽減するためには、光源数を増やしたり、文字板の背面に特殊な調光印刷を施したり、調光部材を設ける必要があり、そうすると、構造の複雑化やこれにともなうコスト高を招き好ましくない。
【０００７】
よって本発明は、上述した現状に鑑み、簡易な構成でありながら、文字板の照明ムラが軽減された計器装置を提供することを課題としている。
【課題を解決するための手段】
【０００８】
上記課題を解決するためになされた請求項１記載の計器装置は、所定意匠が形成された文字板と、前記文字板の背面側に配置された基板上に分散的に実装されて、前記文字板を背面側から照明するための光を出射する複数の光源と、前記複数の光源からの出射光を前記文字板に向けて反射させる反射面と、を有する計器装置において、前記複数の光源から出射され、反射又は合成されて前記文字板の背面の異なる部位に入射する光の輝度を均等化するため、前記反射面に形成された輝度均等化手段、を有することを特徴とする。
【０００９】
請求項１記載の発明によれば、反射面に形成された輝度均等化手段により、複数の光源から出射されて、文字板の背面の異なる部位に入射する光の輝度が均等化される。
【００１０】
上記課題を解決するためになされた請求項２記載の計器装置は、請求項１記載の計器装置において、前記輝度均等化手段は、前記文字板の背面において、その周囲よりも輝度が高くなる高輝度部位を発生させる原因となる前記反射面上の部位、に形成された光拡散面又は光吸収面である、ことを特徴とする。
【００１１】
請求項２記載の発明によれば、文字板の背面において、高輝度部位を発生させる原因となる反射面上の部位に形成された光拡散面又は光吸収面により、文字板において本来高輝度になるはずの部位の輝度が低下する。
【００１２】
上記課題を解決するためになされた請求項３記載の計器装置は、請求項２記載の計器装置において、前記輝度均等化手段は、前記高輝度部位を発生させる原因となる前記反射面上の部位に、最も近接する光源から離れるにしたがって徐々に光拡散率が低下するように形成されたシボ面である、ことを特徴とする。
【００１３】
請求項３記載の発明によれば、高輝度部位を発生させる原因となる反射面上の部位に、最も近接する光源から離れるにしたがって徐々に光拡散率が低下するように形成されたシボ面により、文字板において本来高輝度になるはずの部位の輝度が、より高精度に低下する。
【００１４】
上記課題を解決するためになされた請求項４記載の計器装置は、請求項１記載の計器装置において、前記輝度均等化手段は、前記文字板の背面において、その周囲よりも輝度が高くなる高輝度部位を発生させる原因となる前記反射面上の部位、に形成された孔である、ことを特徴とする。
【００１５】
請求項４記載の発明によれば、高輝度部位を発生させる原因となる反射面上の部位に形成された孔により、文字板において本来高輝度になるはずの部位の輝度が低下する。
【００１６】
上記課題を解決するためになされた請求項５記載の計器装置は、請求項４記載の計器装置において、前記孔は、前記文字板に近づくように隆起して形成された凸部の頂上部に穿設されている、ことを特徴とする。
【００１７】
請求項５記載の発明によれば、高輝度部位を発生させる原因となる反射面上の部位に形成された凸部の頂上部に穿設された孔により、オーバーラップ光に起因して本来高輝度になるはずの部位の輝度が低下すると共に、その周囲の本来低輝度になるはずの部位の輝度が上昇する。
【００１８】
上記課題を解決するためになされた請求項６記載の計器装置は、請求項４記載の計器装置において、前記輝度均等化手段は、前記文字板の背面において、前記高輝度部位を発生させる原因となる前記反射面上の部位に、光源から離れるにしたがって徐々に開口面積が減少するように列設された複数の孔である、ことを特徴とする。
【００１９】
請求項６記載の発明によれば、高輝度部位を発生させる原因となる反射面上の部位に形成された、光源から離れるにしたがって徐々に開口面積が減少するように列設された複数の孔により、文字板において本来高輝度になるはずの部位の輝度が、より高精度に低下する。
【００２０】
上記課題を解決するためになされた請求項７記載の計器装置は、請求項１記載の計器装置において、前記輝度均等化手段は、前記文字板の背面において、その周囲よりも輝度が低くなる低輝度部位を発生させる原因となる前記反射面上の部位、に形成された光沢面である、ことを特徴とする。
【００２１】
請求項７記載の発明によれば、文字板の背面において、低輝度部位を発生させる原因となる反射面上の部位に形成された光沢面により、文字板において本来低輝度になるはずの部位に対応する輝度が上昇する。
【００２２】
上記課題を解決するためになされた請求項８記載の計器装置は、請求項１記載の計器装置において、前記輝度均等化手段は、前記文字板の背面において、その周囲よりも輝度が低くなる低輝度部位を発生させる原因となる前記反射面上の部位に、前記文字板に近づくように隆起して形成された凸部である、ことを特徴とする。
【００２３】
請求項８記載の発明によれば、文字板の背面において低輝度部位を発生させる原因となる反射面上の部位に形成された凸部により、文字板において本来照明不足になるはずの部位の輝度が上昇する。
【００２４】
上記課題を解決するためになされた請求項９記載の計器装置は、請求項１〜８のいずれか一項に記載の計器装置において、前記反射面は、前記複数の光源が配置される馬蹄型の底面と、この底面の縁部から所定角度傾斜し前記文字板に近づくにしたがって徐々に広がるように立設された傾斜面と、から構成される、ことを特徴とする。
【００２５】
請求項９記載の発明によれば、馬蹄型の底面とこの底面の縁部から所定角度傾斜して立設された傾斜面とから構成される反射面に適用されて、高照明効率を維持しつつ文字板の照明ムラを軽減することができる。
【００２６】
上記課題を解決するためになされた請求項１０記載の計器装置は、請求項１〜８のいずれか一項に記載の計器装置において、前記反射面は、前記複数の光源を周回し前記文字板に近づくにしたがって徐々に広がるように形成されたお椀型の傾斜面、から構成される、ことを特徴とする。
【００２７】
請求項１０記載の発明によれば、椀型傾斜面から構成される反射面に適用されて、簡易性と汎用性を享受しつつ文字板の照明ムラを軽減することができる。
【発明の効果】
【００２８】
請求項１記載の発明によれば、反射面に形成された輝度均等化手段により、複数の光源から出射されて、文字板の背面の異なる部位に入射する光の輝度が均等化される。したがって、文字板の照明ムラを軽減することができる。
【００２９】
請求項２記載の発明によれば、文字板の背面において、高輝度部位を発生させる原因となる反射面上の部位に形成された光拡散面又は光吸収面により、文字板において本来高輝度になるはずの部位の輝度が低下する。したがって、文字板の照明ムラを軽減することができる。
【００３０】
請求項３記載の発明によれば、高輝度部位を発生させる原因となる反射面上の部位に、最も近接する光源から離れるにしたがって徐々に光拡散率が低下するように形成されたシボ面により、文字板において本来高輝度になるはずの部位の輝度が、より高精度に低下する。したがって、文字板の照明ムラをより高精度に軽減することができる。
【００３１】
請求項４記載の発明によれば、高輝度部位を発生させる原因となる反射面上の部位に形成された孔により、文字板において本来高輝度になるはずの部位の輝度が低下する。したがって、容易に文字板の照明ムラを軽減することができる。
【００３２】
請求項５記載の発明によれば、高輝度部位を発生させる原因となる反射面上の部位に形成された凸部の頂上部に穿設された孔により、オーバーラップ光に起因して本来高輝度になるはずの部位の輝度が低下すると共に、その周囲の本来低輝度になるはずの部位の輝度が上昇する。したがって、複数の光源の中間部付近において、オーバーラップ光に起因して照明過剰が発生する場合に、特に効果的に文字板の照明ムラを軽減することができる。
【００３３】
請求項６記載の発明によれば、高輝度部位を発生させる原因となる反射面上の部位に形成された、光源から離れるにしたがって徐々に開口面積が減少するように列設された複数の孔により、文字板において本来高輝度になるはずの部位の輝度が、より高精度に低下する。したがって、文字板の照明ムラを容易かつ高精度に軽減することができる。
【００３４】
請求項７記載の発明によれば、文字板の背面において、低輝度部位を発生させる原因となる反射面上の部位に形成された光沢面により、文字板において本来低輝度になるはずの部位に対応する輝度が上昇する。したがって、文字板の照明ムラを非常に簡単に軽減することができる。
【００３５】
請求項８記載の発明によれば、文字板の背面において低輝度部位を発生させる原因となる反射面上の部位に形成された凸部により、文字板において本来照明不足になるはずの部位の輝度が上昇する。したがって、文字板の照明ムラを容易に軽減することができる。
【００３６】
請求項９記載の発明によれば、馬蹄型の底面とこの底面の縁部から所定角度傾斜して立設された傾斜面とから構成される反射面に適用されて、高照明効率を維持しつつ文字板の照明ムラを軽減することができる。
【００３７】
請求項１０記載の発明によれば、椀型傾斜面から構成される反射面に適用されて、簡易性と汎用性を享受しつつ文字板の照明ムラを軽減することができる。
【発明を実施するための最良の形態】
【００３８】
以下、本発明の実施の形態を図面に基づいて説明する。まず、図１〜図４を用いて、本発明の第１実施形態について説明する。図１は、本発明の計器装置の第１実施形態を示す分解斜視図である。図２は、図１の計器装置の正面図である。図３は、図２におけるＸＸ線断面図である。図４は、図２におけるＹＹ線断面図である。
【００３９】
この計器装置は、例えば、車両に搭載されスピードメータ部に用いられているものとする。この計器のケース１には文字板６の形状に対応した文字板収容部２、及び馬蹄形状の光源収容部３が形成されている。文字板収容部２にはＬＣＤ（液晶表示装置）４等も配置され、光源収容部３には複数の光源５ａ〜５ｃが配置されている。文字板６の前面には、図示しないムーブメントの回転軸に連結された指針７が取り付けられる。
【００４０】
ケース１は、例えば、白色の樹脂製であり、全体形状は横長の箱形をしている。ケース１には、ここに示すスピードメータ部の他にタコメータ部や水温計部等も配置される。ケース１の下には、光源５ａ〜５ｃや指針７を回転駆動するための図示しないムーブメントやその他の電子部品が実装される基板９が配置されている。光源５ａ〜５ｃは文字板６を照明するための光を出射する、例えば、チップ型発光ダイオードで構成される。
【００４１】
文字板収容部２は、文字板６の形状に対応した浅皿上に掘り下げられて形成され、その中央部にはムーブメントの回転軸を周回する円筒状の円筒孔２１が設けられ、その周縁には文字板６の固定片６２に対応した形状の片受部２２が設けられている。また、文字板収容部２の底面の一部には、累積走行距離等をディジタル表示するＬＣＤ４も配置されている。
【００４２】
光源収容部３は、文字板収容部２の底面部が更に馬蹄形状に掘り下げられて形成されている。詳しくは、光源収容部３は、複数の光源５ａ〜５ｃが配置される馬蹄型の底面３１と、この底面３１の縁部に沿って立設された傾斜面３２、３３とから基本構成される。底面３１には、複数の光源５ａ〜５ｃをそれぞれ周回するような円形状の窓３１ａ〜３１ｃが設けられている。傾斜面３２、３３は、底面３１の縁部から所定角度傾斜し文字板６に近づくにしたがって徐々に広がるように立設されている。この角度は、例えば、２０〜３０度程度であり、複数の光源５ａ〜５ｃからの出射光が効率的に文字板６の背面に入射するように設定されている。
【００４３】
より詳しくは、底面３１及び傾斜面３２には、複数の光源５ａ〜５ｃにそれぞれ対応してシボ面８１ａ〜８１ｃが形成されている。シボ面８１ａ〜８１ｃを形成する部位は、シボ面８１ａ〜８１ｃを形成する前の状態において、複数の光源５ａ〜５ｃからの出射光が、反射又は合成されて文字板６の背面の異なる部位に入射した際に、その周囲よりも輝度が高くなる高輝度部位ＳＴを発生させる原因となる底面３１及び傾斜面３２上の所定部位に形成される。現実的には、シボ面８１ａ〜８１ｃが形成される部位は、それぞれの光源５ａ〜５ｃに近接する光源周辺部である。シボ面８１ａ〜８１ｃは、最も近接するそれぞれの光源５ａ〜５ｃから離れるにしたがって徐々に光拡散率が低下するように、例えば、徐々に粗くなるように、形成することが好ましい。
【００４４】
一方、上記高輝度部位ＳＴの中間部、すなわち、複数の光源５ａ〜５ｃからの出射光が、反射又は合成されて文字板６の背面の異なる部位に入射した際に、その周囲よりも輝度が低くなる低輝度部位ＷＫを発生させる原因となる底面３１及び傾斜面３２上の所定部位には、光沢面８２ｄ、８２ｅが形成される。現実的には、光沢面８２ｄ、８２ｅが形成される部位は、それぞれの光源５ａ〜５ｃから最も離間した部位である、各シボ面８１ａ〜８１ｃの中間部である。敢えて、該当部位のみを光沢面８２ｄ、８２ｅにするようにしてもよいが、上記シボ面８１ａ〜８１ｃ以外の、底面３１、傾斜面３２、３３を含む光源収容部３全体、或いは、ケース１全体を光沢面化するようにしてもよい。
【００４５】
文字板６は、周知のように、透光性合成樹脂からなる薄型シートにて形成されている。文字板６には、スピードを示す文字やメモリ等の意匠６３を形成する透光性着色部、これ以外のベースとなる黒色系塗装部から形成されている。文字板６の中央部には、ムーブメントの回転軸に対応する中央孔６１が穿設され、その下方には、ＬＣＤ４の形状に対応した矩形の窓６４が設けられ、その周縁にはケース１に固定する際に利用される固定片６２が設けられている。
【００４６】
指針７は、周知のように、透光性合成樹脂からなる指示部及びムーブメントの回転軸が挿入される回転基部に覆設された黒色系樹脂からなる指針キャップから基本構成される。指示部には、この指針を所定色で光輝させるためのホットスタンプ層（不図示）等も形成されている。
【００４７】
このような構成において、所定の点灯信号に応答して光源５ａ〜５ｃが点灯すると、それぞれの光源５ａ〜５ｃからの出射光は、文字板６の背面に直接入射したり、或いは、底面３１及び傾斜面３２、３３で反射されたり、これらが合成されたりして、文字板６の背面に入射する。この際、上記シボ面８１ａ〜８１ｃにより、文字板６において本来高輝度になるはずの部位ＳＴの輝度が低下する。また、光沢面８２ｄ、８２ｅにより、文字板６において本来低輝度になるはずの部位ＷＫに対応する輝度が上昇する。すなわち、複数の光源５ａ〜５ｃから出射されて、文字板６の背面の異なる部位に入射する光の輝度が均等化される。したがって、文字板の照明ムラを軽減することができる。特に、シボ面８１ａ〜８１ｃは、徐々に光拡散率が低下するように形成されているので、より高精度に文字板の照明ムラを軽減することができる。
【００４８】
次に、図５及び図６を用いて、上記シボ面８１ａ〜８１ｃ及び光沢面８２ｄ、８２ｅと類似した手段を有する本発明の第２実施形態及び第３実施形態を示す。図５は、図４の傾斜面にスリット孔を形成した本発明の第２実施形態を示す断面図である。図６は、図４の底面に凸部を形成した形成した本発明の第３実施形態を示す断面図である。
【００４９】
図５に示す第２実施形態においては、図４の傾斜面３２において、シボ面８１ａ〜８１ｃに替えて、スリット孔８２ａ〜８２ｃを設けている。他の構成要素は、図１〜図４で示した通りであるので重複説明は省略する。ここでは、傾斜面３２に、複数の光源５ａ〜５ｃにそれぞれ対応して矩形状のスリット孔８２ａ〜８２ｃが設けられている。スリット孔８２ａ〜８２ｃを設ける部位は、上記高輝度部位ＳＴを発生させる原因となる傾斜面３２上の所定部位である。現実的には、スリット孔８２ａ〜８２ｃが設けられる傾斜面３２上の部位は、それぞれの光源５ａ〜５ｃに近接する光源周辺部である。スリット孔８２ａ〜８２ｃは、最も近接するそれぞれの光源５ａ〜５ｃから離れるにしたがって徐々に開口面積が減少するように列設されている。なお、それぞれのスリット孔８２ａ〜８２ｃの中間部は、図４に示した第１実施形態と同様、光沢面８２ｄ、８２ｅになっている。
【００５０】
このような構成において、上記シボ面８１ａ〜８１ｃと同様、スリット孔８２ａ〜８２ｃにより、文字板６において本来高輝度になるはずの部位ＳＴの輝度が低下する。また、光沢面８２ｄ、８２ｅによる作用は、第１実施形態と同様であり、本来低輝度になるはずの部位ＷＫに対応する輝度が上昇する。すなわち、複数の光源５ａ〜５ｃから出射されて、文字板６の背面の異なる部位に入射する光の輝度が均等化される。したがって、文字板の照明ムラを軽減することができる。特に、スリット孔８２ａ〜８２ｃは、徐々に開口面積が減少するように列設されているので、より高精度に文字板の照明ムラを軽減することができる。
【００５１】
また、図６に示す第３実施形態においては、図４の底面３１において、文字板６に近づくように隆起して形成された凸部８３ｄ、８３ｅが形成されている。凸部８３ｄ、８３ｅを設ける部位は、上記低輝度部位ＷＫを発生させる原因となる傾斜面３２上の所定部位である。現実的には、凸部８３ｄ、８３ｅが形成される底面３１上の部位は、それぞれの光源５ａ〜５ｃから離間した部位である、各光源５ａ〜５ｃの中間部である。凸部８３ｄ、８３ｅは、最も近接するそれぞれの光源５ａ〜５ｃから離れるにしたがって徐々に隆起し、低輝度部位ＷＫに対応する部位が頂上部になっている。すなわち、底面３１において、低輝度部位ＷＫに対応する部位が最も文字板６に近接するように隆起している。
【００５２】
このような構成において、凸部８３ｄ、８３ｅにより、文字板６において本来低輝度になるはずの部位ＷＫに底面３１が最も近接することになるため、この部位ＳＴの輝度が上昇する。すなわち、複数の光源５ａ〜５ｃから出射されて、文字板６の背面の異なる部位に入射する光の輝度が均等化される。したがって、文字板の照明ムラを軽減することができる。特に、凸部８３ｄ、８３ｅは、徐々に隆起するように形成されているので、より高精度に文字板の照明ムラを軽減することができる。
【００５３】
上記第１〜第３実施形態は、光源５ａ〜５ｃから離間するにしたがって輝度が徐々に低下していき、光源５ａ〜５ｃの中間部位において最低輝度になるように、光源５ａ〜５ｃが配置されていることを前提としたものであるが、図７及び図８に示すように、例えば、各光源５ａ′〜５ｃ′がより近接して配置されているため、各光源５ａ′〜５ｃ′からの出射光がオーバラップして、各光源５ａ′〜５ｃ′の中間部位に対応する文字板６上の領域においても、高輝度部位ＯＲが発生する場合もあり得る。
【００５４】
次の図７及び図８に示す実施形態は、このような光源配置における照明バラツキ防止も軽減できるものである。図７は、底面及び傾斜面にシボ面を形成した本発明の第４実施形態を示す断面図である。図８は、底面に孔付凸部を形成した本発明の第５実施形態を示す断面図である。
【００５５】
図７に示す第４実施形態においては、傾斜面３２′において、シボ面８１ａ′〜８１ｃ′が形成されている。シボ面８１ａ′〜８１ｃ′を形成する部位は、シボ面８１ａ′〜８１ｃ′を形成する前の状態において、複数の光源５ａ′、５ｂ′からの出射光が、反射又は合成されて文字板６の背面の異なる部位に入射した際に、その周囲よりも輝度が高くなる高輝度部位ＳＴ、ＯＲを発生させる原因となる底面３１及び傾斜面３２上の所定部位に形成される。現実的には、シボ面８１ａ′、８１ｂ′が形成される部位は、それぞれの光源５ａ′、５ｂ′に近接する光源周辺部であり、シボ面８１ｃ′が形成される部位は、シボ面８１ａ′及び８１ｂ′の中間的な部位である。ここでも、シボ面８１ａ′〜８１ｃ′は、最も近接するそれぞれの光源やオーバラップ領域から離れるにしたがって徐々に光拡散率が低下するように、例えば、徐々に粗くなるように、形成することが好ましい。なお、図７中、３１ａ′及び３１ｂ′はそれぞれ、上記３１ａ及び３１ｂと同等の円形状の窓である。
【００５６】
このような構成において、シボ面８１ａ′〜８１ｃ′により、文字板６において本来高輝度になるはずの部位ＳＴ、ＯＲの輝度が低下する。その他の部位の輝度は変わらないとすると、複数の光源５ａ〜５ｃから出射されて、文字板６の背面の異なる部位に入射する光の輝度が均等化される。したがって、文字板の照明ムラを軽減することができる。
【００５７】
図８に示す第５実施形態においては、図７の傾斜面３２′において、シボ面８１ｃ′に替えて、孔付凸部８３ａ′を設けている。他の構成要素は、図７で示した通りであるので重複説明は省略する。孔付凸部８３ａ′は、図６で示した凸部８３ｄの頂上部に孔８３ａ１′が穿設されたような形状をしている。詳しくは、孔８３ａ１′を設ける部位は、上記高輝度部位ＯＲを発生させる原因となる底面３１′上の部位に対応する。
【００５８】
このような構成において、シボ面８１ａ′、８１ｂ′及び孔８３ａ１′により、文字板６において本来高輝度になるはずの部位ＳＴ、ＯＲの輝度が低下する。これに加えて、孔８３ａ１′以外の凸部８３ａ′の隆起形状が、やや低輝度となる高輝度部位ＳＴ及びＯＲの中間部の輝度を上昇させる。これにより、複数の光源５ａ〜５ｃから出射されて、文字板６の背面の異なる部位に入射する光の輝度がより高精度に均等化される。したがって、文字板の照明ムラをより高精度に軽減することができる。
【００５９】
このように、第４及び第５実施形態によれば、複数の光源の中間部付近において、オーバーラップ光に起因して照明過剰が発生する場合に、特に効果的に文字板の照明ムラを軽減することができる。
【００６０】
なお、上記図１〜図８において例示した輝度均等化手段としてのシボ面、スリット孔、光沢面、凸部、孔付凸部は、これらのいずれかを適用すれば、従来よりもバラツキ軽減の効果が得られるが、適宜、組み合わせて用いることにより、相乗的な効果が得られる。組み合わせる際には、連続形状することがより好ましい。また、シボ面のバリエーションやスリット孔の面積、本数等も適宜、変更可能である。
【００６１】
また、請求項における反射面は、実施形態における底面３１、傾斜面３２、３３等のように、光源からの出射光を文字板６に向けて反射させる部位全てを含むものである。したがって、シボ面、スリット孔、凸部等を、実施例で示した箇所以外に設けるようにしてもよい。例えば、傾斜面３２に凸部を設けたり、傾斜面３３にシボ面を形成する変形例も考えられる。場合によっては、凸部に替えて凹部を設けることにより、逆に輝度を低下させるようにしてもよい。また、上記例示したシボ面は、文字板上の輝度を低下させるための光拡散面であるが、文字板上の輝度を低下させるための光吸収面であってもよい。
【００６２】
更に、上記図１〜図８に示した実施形態は、図９に示すような、お椀型の傾斜面を有する計器装置にも同様に適用可能である。図９は、お椀型の傾斜面を有する計器装置に適用された本発明の第６実施形態を示す分解斜視図である。
【００６３】
この計器装置もまた、例えば、車両に搭載されスピードメータ部に用いられているものとする。この計器のケース１０１には図１に示したような文字板が装着されるお椀型の傾斜面１３１を有する光源収容部１０３が形成されている。光源収容部１０３の中央部には、複数の光源１０５ａ〜１０５ｃが配置されている。文字板の前面には、図１に示したような指針が取り付けられる。
【００６４】
このケース１０１も、例えば、白色の樹脂製であり、全体形状は横長の箱形をしている。ケース１０１には、ここに示すスピードメータ部の他にタコメータ部や水温計部等も配置される。ケース１０１には、光源１０５ａ〜１０５ｃや指針を回転駆動するための図示しないムーブメントやその他の電子部品が実装される基板１０９が配置される。
【００６５】
光源１０５ａ〜１０５ｃは文字板を照明するための光を出射し、例えば、チップ型発光ダイオードで構成される。光源１０５ａ〜１０５ｃは、ムーブメントの回転軸が貫通される円形上の孔１２１を周回するように配置されている。
【００６６】
光源収容部１０３は、複数の光源１０５ａ〜１０５ｃを周回し文字板に近づくにしたがって徐々に広がるように形成されたお椀型の傾斜面１３１から基本構成されている。この傾斜角度は、例えば、２０〜３０度程度であり、複数の光源１０５ａ〜１０５ｃからの出射光が効率的に文字板６背面に入射するように設定されている。
【００６７】
詳しくは、傾斜面１３１には、複数の光源１０５ａ〜１０５ｃにそれぞれ対応してシボ面８４ａ〜８４ｃが形成されている。シボ面８４ａ〜８４ｃを形成する部位は、シボ面８４ａ〜８４ｃを形成する前の状態において、複数の光源１０５ａ〜１０５ｃからの出射光が、反射又は合成されて文字板の背面の異なる部位に入射した際に、その周囲よりも輝度が高くなる高輝度部位を発生させる原因となる傾斜面１３１上の所定部位に形成される。現実的には、シボ面８４ａ〜８４ｃが形成される部位は、それぞれの光源１０５ａ〜１０５ｃに近接する光源周辺部である。ここでも、シボ面８４ａ〜８４ｃは、最も近接するそれぞれの光源１０５ａ〜１０５ｃから離れるにしたがって徐々に光拡散率が低下するように、例えば、徐々に粗くなるように、形成することが好ましい。
【００６８】
一方、上記高輝度部位の中間部、すなわち、複数の光源１０５ａ〜１０５ｃからの出射光が、反射又は合成されて文字板の背面の異なる部位に入射した際に、その周囲よりも輝度が低くなる低輝度部位を発生させる原因となる傾斜面１３１上の所定部位には、光沢面８４ｄ、８４ｅが形成される。現実的には、光沢面８４ｄ、８４ｅが形成される部位は、それぞれの光源１０５ａ〜１０５ｃから離間した部位である、各シボ面８４ａ〜８４ｃの中間部である。敢えて、該当部位のみを光沢面８４ｄ、８４ｅにするようにしてもよいが、上記シボ面８４ａ〜８４ｃ以外の、傾斜面１３１を含む光源収容部１０３全体、或いは、ケース全体を光沢面化するようにしてもよい。
【００６９】
なお、文字板や指針等のその他の構成は、第１実施形態と同等であるので重複説明は省略する。
【００７０】
このような構成において、所定の点灯信号に応答して光源１０５ａ〜１０５ｃが点灯すると、それぞれの光源１０５ａ〜１０５ｃからの出射光は、文字板の背面に直接入射したり、或いは、傾斜面１３１で反射されたり、これらが合成されたりして、文字板の背面に入射する。この際、上記シボ面８４ａ〜８４ｃにより、文字板において本来高輝度になるはずの部位の輝度が低下する。また、光沢面８４ｄ、８４ｅにより、文字板において本来低輝度になるはずの部位に対応する輝度が上昇する。すなわち、複数の光源１０５ａ〜１０５ｃから出射されて、文字板の背面の異なる部位に入射する光の輝度が均等化される。したがって、このタイプの計器装置における文字板の照明ムラを軽減することができる。
【００７１】
この第６実施形態においても、上記第２〜５実施形態と同様のバリエーションが考えられる。すなわち、傾斜面１３１には、スリット孔、凸部等を設けてもよいし、これらとシボ面とを組み合わせた連続形状にしてもよい。光拡散面のみならず、文字板上の輝度を低下させるための光吸収面を形成するようにしてもよい。
【００７２】
このように、本発明の実施形態によれば、文字板の背面に特殊な調光印刷を施したり、調光部材を設けることなく、簡易な構成により、文字板の照明ムラを効果的に軽減することができる。
【００７３】
なお、本発明は、上記実施形態に限定されず、その主旨を逸脱しない範囲で各種変形が可能である。例えば、本発明は、スピードメータ部以外にも適用可能であるし、或いは、車両以外の船舶や航空機等に搭載される計器装置にも同様に適用可能である。
【図面の簡単な説明】
【００７４】
【図１】本発明の計器装置の第１実施形態を示す分解斜視図である。
【図２】図１の計器装置の正面図である。
【図３】図２におけるＸＸ線断面図である。
【図４】図２におけるＹＹ線断面図である。
【図５】図４の傾斜面にスリット孔を形成した本発明の第２実施形態を示す断面図である。
【図６】図４の底面に凸部を形成した形成した本発明の第３実施形態を示す断面図である。
【図７】底面及び傾斜面にシボ面を形成した本発明の第４実施形態を示す断面図である。
【図８】底面に孔付凸部を形成した本発明の第５実施形態を示す断面図である。
【図９】お椀型の傾斜面を有する計器装置に適用された本発明の第６実施形態を示す分解斜視図である。
【符号の説明】
【００７５】
１  ケース
２  文字板収容部
３  光源収容部
４  ＬＣＤ
５ａ〜５ｃ  光源
６  文字板
７  指針
８１ａ〜８１ｃ  シボ面
８１ｄ、８１ｅ  光沢面
８２ａ〜８２ｃ  スリット孔
８３ｄ、８３ｅ  凸部
９  基板
【図１】
2005077209.tif 000003
【図２】
2005077209.tif 000004
【図３】
2005077209.tif 000005
【図４】
2005077209.tif 000006
【図５】
2005077209.tif 000007
【図６】
2005077209.tif 000008
【図７】
2005077209.tif 000009
【図８】
2005077209.tif 000010
【図９】
2005077209.tif 000011